(57)【特許請求の範囲】
【請求項１】
気密性の被膜材料から形成された紡錘形の複数のゴアをその両側縁部を互いに接合するとともに、これらゴアの両側縁部の接合部に沿って張力に耐えるロードテープを取り付けた耐圧性のガス袋と、
満膨張状態の上記ガス袋を変形させてガス袋の体積を変化させる体積変化手段と、
を備えており、
上記ガス袋が膨張した後も上昇浮力分のガスを排出せずに内部のガスの圧力を維持し、体積変化手段によりガス袋の体積を変化させてガス袋の浮力を制御して飛翔高度を調節する耐圧性の気球であって、
上記ゴアの寸法は、
上記ガス袋が満膨張状態のときに隣接する上記ロードテープの間で外側に被膜材料の伸びによらずに膨出し、
上記膨出したゴアの、上記ロードテープと交差する方向の曲率半径が、上記ガス袋の径よりも小さく、
上記膨出したゴアに働く張力の方向が、上記ロードテープと交差する方向に向く、
よう設定されており、
上記体積変化手段は、上記ロードテープを上記ガス袋の内側に引っ張ることにより、満膨張状態の上記ガス袋の形状を変形させ、
上記体積変化手段は、上記紡錘形のゴアの長手方向の両端に位置している上記ロードテープの部分の少なくとも一方を上記ガス袋の内側に引っ張り、
上記体積変化手段は、上記紡錘形のゴアの長手方向の上側の端に位置している上記ロードテープの部分に取り付けられておりゴアの長手方向の両端間で延びている引張りロープと、上記紡錘形のゴアの長手方向の下側の端に位置している上記ロードテープの部分に取り付けられていて引張りロープの下側の端が取り付けられており引張りロープの長さを変える引張りロープ長変化手段と、を有している、
ことを特徴とする耐圧性気球。
【発明の詳細な説明】
【０００１】
【発明の属する技術分野】
本発明は、耐圧性気球に関する。より詳細には、高層大気観測や宇宙観測に用いられる科学観測気球、スポーツ用熱気球及びガス気球などの耐圧性気球に関する。
【０００２】
【従来の技術】
高空を飛翔する気球として、例えば高度３０〜４０Ｋｍの成層圏を飛翔する科学観測気球がある。このような高空用の気球は、飛翔高度を調節するために、浮力ガスの排気による浮力減少とバラスト投下による飛翔高度回復との組み合わせを利用している。しかしながら、バラストを全て消費するとそれ以降は飛翔高度の調節を続けられない。
【０００３】
一方、飛翔高度を一定に保つためのものとして、内圧に耐える耐圧性のガス袋を備えたスーパプレッシャー気球が知られている。このスーパプレッシャー気球は、ガス袋が最大容積となった後にも上昇浮力分のガスを排出せず、ガス袋の最大容積および内部のガスの圧力を維持したまま上昇を続け、大気密度の低下により浮力が減少して一定の高度で水平飛翔する。このようなスーパプレッシャー気球は日没後にガスの温度が低下してもガス袋内のガス圧が低下するだけでこのガス袋の最大容積は変化せず、バラストを投下することなく最大高度を維持したまま水平飛翔を維持することができる。これによって、上記の気球のように大量のバラストを消費することがなく、より長時間の飛翔が可能となる。
【０００４】
【発明が解決しようとする課題】
しかしながら、このようなスーパプレッシャー気球では高度を一定に保つことができるが飛翔高度を変更することが容易でない。
【０００５】
飛翔高度を調節する気球として、気球内部の空気袋に外気をポンプで注入して膨張させて気球の有効体積を変化させるものがある。しかしながら、大気が希薄な成層圏では短時間に空気袋を膨らませるには強力な送風器又はポンプが必要となり、特に大型気球では実現が困難である。
【０００６】
本発明は以上の事情に基づいてなされたものであり、本発明の目的は、バラストのような有限な搭載物やポンプを用いることなく、簡単な構成でガス袋の体積を制御し、飛翔高度を変えることができる耐圧性気球を提供することである。
【０００７】
【課題を解決するための手段】
上記目的を達成するために、本発明の請求項１に係わる耐圧性気球では、
気密性の被膜材料から形成された紡錘形の複数のゴアをその両側縁部を互いに接合するとともに、これらゴアの両側縁部の接合部に沿って張力に耐えるロードテープを取り付けた耐圧性のガス袋と、
満膨張状態の上記ガス袋を変形させてガス袋の体積を変化させる体積変化手段と、
を備えており、
上記ガス袋が膨張した後も上昇浮力分のガスを排出せずに内部のガスの圧力を維持し、体積変化手段によりガス袋の体積を変化させてガス袋の浮力を制御して飛翔高度を調節する耐圧性の気球であって、
上記ゴアの寸法は、
上記ガス袋が満膨張状態のときに隣接する上記ロードテープの間で外側に被膜材料の伸びによらずに膨出し、
上記膨出したゴアの、上記ロードテープと交差する方向の曲率半径が、上記ガス袋の径よりも小さく、
上記膨出したゴアに働く張力の方向が、上記ロードテープと交差する方向に向く、
よう設定されており、
上記体積変化手段は、上記ロードテープを上記ガス袋の内側に引っ張ることにより、満膨張状態の上記ガス袋の形状を変形させ、
上記体積変化手段は、上記紡錘形のゴアの長手方向の両端に位置している上記ロードテープの部分の少なくとも一方を上記ガス袋の内側に引っ張り、
上記体積変化手段は、上記紡錘形のゴアの長手方向の上側の端に位置している上記ロードテープの部分に取り付けられておりゴアの長手方向の両端間で延びている引張りロープと、上記紡錘形のゴアの長手方向の下側の端に位置している上記ロードテープの部分に取り付けられていて引張りロープの下側の端が取り付けられており引張りロープの長さを変える引張りロープ長変化手段と、を有している、
ことを特徴としている。
【００１４】
【発明の実施の形態】
図１〜図１２を参照して、本発明の実施の形態に係わる耐圧性気球を説明する。先ず、本発明の第１の実施の形態の耐圧性気球を説明する。図１は、耐圧性気球の斜視図である。図中の１はガス袋であり、このガス袋１の内部には例えばヘリウム等が充填され、浮力を発生する。ガス袋１は膨張した後も上昇浮力分のガスを排出せずに内部のガスの圧力を維持する。このガス袋１には、観測機器等のペイロードが搭載されるが、図中では省略する。
【００１５】
ガス袋１は、概略的に球形をなしており、ガス袋１を縦にＮ等分した紡錘形のゴア２を多数接合して構成されている。これらのゴア２は、軽量で高強度の織布、又はプラスチックフイルム等の気密性の被膜材料で形成され、互いにその両側縁部を縫合又は接着等により接合され、ガス袋１を構成している。これらのゴア２の接合線に沿って、高張力に耐えるロードテープ３が縫い込まれ、または接着される。これらのロードテープ３は、これらゴア２相互の接合強度を高める他、ペイロードの荷重を分散して各ゴア２に伝達し、またこのガス袋１の形状を所定の形状に維持する。各ゴア２の被膜材料はガス袋１が満膨張状態のときに隣接するロードテープ３の間で外側に被膜材料の伸びによらずに膨出する。ここで、満膨張状態とは、ガス袋１の内外圧力差ｄＰ（内部圧力−外部圧力に等しい）が正であり、内部圧力をさらに増加させてもガス袋１の体積が皮膜材料の伸びによる以外には変化しない状態である。耐圧性気球は、満膨張状態のガス袋１を変形させてガス袋１の体積を変化させる体積変化手段（後に詳述する）を備えている。
【００１６】
ガス袋１は内外圧力差ｄＰ（＞０）に対応した自然型と呼ばれる形状をとることができる。説明の便宜のために、ロードテープが設けられていない場合の自然型のガス袋の形状について説明する。自然型は、ガス袋の上下方向の中心軸を地軸として、条件１：経線（子午線）の長さ一定、条件２：緯線（周）の長さは必要なだけ自由に付加するとする２つの前提条件のもとで最大の浮力が得られる形状である。この形状は地軸に対して回転対称である。条件２は、ガス袋の皮膜には経線方向に皺が発生していると仮定することができるので、周方向には張力が発生しない状態にあることを意味する。即ち、ガス袋の内外圧力差によって皮膜に発生する張力は経線方向のみとなる。内外圧力差ｄＰが増大するとともにガス袋は扁平していき、いわゆるパンプキン形状に近づく。
【００１７】
本実施の形態のようにガス袋の内外圧力差ｄＰが十分大きい場合、通常皮膜自体の重量や浮力を無視して形状を考えてよい。その場合には、ガス袋の形状は、前記の条件１、条件２のもとで体積が最大となることが条件となり、球を北極側と南極側から押しつぶしたような上下対称の形状となる。これはＥｕｌｅｒ’ｓｅｌａｓｔｉｃａと呼ばれる。この形状は以下のように求めることができる。
【００１８】
図２はこの形状を求めるために用いる、ガス袋の概略的な断面図である。図２のように、ｘ，ｙ座標上で対称面である赤道面から上半分の形状を考える。赤道の半径をｘ０とする。皮膜には経線方向の張力しか発生していないので、赤道上での張力の総和の力Ｆｍは赤道での断面積Ｓと圧力差ｄＰの積となる。即ち、
Ｆｍ＝Ｓ・ｄＰ…（１）
である。形状曲線上の赤道での張力Ｔ０、任意の点、（ｘ，ｙ）上での張力Ｔはそれぞれ、
Ｔ０＝Ｆｍ／（２πｘ０）…（２）
Ｔ＝Ｆｍ／（２πｘ）＝ｘ０２・ｄＰ／（２・ｘ）…（３）
となるので、経線の長さをＬ、その微少長さをｄＬ、その傾角をθｍとすれば、その点の皮膜の曲率半径は
ｄＬ／ｄθｍ＝Ｔ／ｄＰ…（４）
である。この微分方程式を、初期条件は赤道上の皮膜張力の方向はｙ軸と並行でかつ大きさはＴ０として、数値解法により赤道上から順次形状を求めて解く。図３は数値解法により求められた形状の縦断面を示す曲線の例である。実際の気球には、下部にペイロードがつり下げられるので形状の上下対称性は若干損なわれるが、ほとんど無視できる。上記パンプキン形状はこのような上下対称性が損なわれた形状を含んでいる。また、パンプキン形状は地軸に対して対称である。
【００１９】
このようなパンプキン形状をとるガス袋にロードテープを付加したときのガス袋の形状を説明する。従来の気球では、ゴアの形状は地軸に対して対称なパンプキン形状をＮ等分した紡錘形に設定されている。ロードテープはパンプキン形状のガス袋の外表面に沿って延びている。本実施の形態の耐圧性気球では、隣接するロードテープ３の間でゴア２が小さな曲率半径で膨出するようゴア２の形状が設定されている。かつこの場合、ゴア２は経線方向に十分大きな寸法を有しているものとする。後に示すように、膨出したゴア２の、ロードテープ３と交差する方向の曲率半径は、ガス袋１の径よりも１桁程度小さい。
【００２０】
こうした形状を形成するために、ゴア２の形状寸法は従来の気球のゴアの形状に対して、その幅および長さが大きくされている。即ち、ゴア２の長手方向の中心線の長さは、隣接するロードテープ３の間で膨出する部分の経線方向の中心線の長さに等しく、ゴア２の幅はこの膨出した部分の緯線方向の長さに等しくされている。この結果、ゴア２の両側縁部の長さはロードテープ３よりも長くなるので、各ゴア２は、それらの両側縁部がロードテープ３の長さに対応した長さに均一に皺が形成されて短縮された状態でロードテープ３に接合されている。尚、ロードテープ３の長さは、ゴア２の自然型の形状の両側縁部の長さに対応した長さに設定されている。
【００２１】
ガス袋１がこのように構成されていることにより、各ゴア２は内部圧力によって引き伸ばされずに膨出する。このように膨出するゴア２の形状を所定の形状に設定すると、ゴア２の長手方向の張力をほぼゼロにすることができる。即ち、膨出したゴア２に働く張力の方向は、ほぼロードテープ３と交差する方向に向く。
【００２２】
このとき、ゴア２の短手方向の張力はロードテープ３に作用し、ロードテープ３が外側に引っ張られる。このゴア２の張力はロードテープ３の張力により支承される。一方、膨出をもたない従来の気球では、経験上その強度は、同じ体積を有する球の強度と同等である。成層圏大型気球では、球の半径は３０〜５０ｍとなる。一方、膨出したゴア２の曲率半径は概略１ｍ程度を実現できる。従って、被膜に発生する張力はこの２つの半径の比率だけ減少し、その分気球は圧力に対し強度が増す。さらに、ゴアの形状は被膜材料の幅からきまるので、気球を大型にしてもその曲率半径は変わらない。即ち、気球の圧力に対する強度は、気球の容積に依存しない。従って、本実施の形態の耐圧性気球は気球の規模によらず破損しにくい。
【００２３】
体積変化手段を詳細に説明する。図４はガス袋１の縦断面図である。上述したように、この形状は球を北極側と南極側から押しつぶしたような形状である。図４の断面は北極と南極を含んでいる。体積変化手段は、ロードテープ３をガス袋１の内側に引っ張ることにより、満膨張状態のガス袋１の形状を変形させる。より詳細には、体積変化手段は、紡錘形のゴア２の長手方向の両端に位置しているロードテープ３の部分をガス袋１の内側に引っ張る。即ち、体積変化手段は、ガス袋１の両極間の距離を変化させる。
【００２４】
体積変化手段は、ゴア２の長手方向の両端間で延びている引張りロープ４と、引張りロープ４の長さを変える引張りロープ長変化手段５とを有している。引張りロープ４の一端は、ゴア２の上側の端、即ちガス袋１の北極に位置しているロードテープ３の部分に取り付けられている。ガス袋１の北極には全てのロードテープ３が集まっている。引張りロープ４は、これらのロードテープ３を均一に引っ張るようロードテープ３に取り付けられている。北極に位置しているロードテープ３の部分にはリング（図示せず）が取り付けられており、このリングに引張りロープ４の一端が結ばれている。引張りロープ４の他端は、ゴア２の南極側に配置されている引張りロープ長変化手段５に取り付けられている。ゴア２の南極側にはペイロード（図示せず）が吊されている。
【００２５】
図５は引張りロープ長変化手段５の概略図である。引張りロープ長変化手段５は、引張りロープ４が巻かれる円筒形のドラム５ａと、ドラム５ａを回転させるモータ５ｂとを有している。モータ５ｂは取付部５ｃを介してガス袋１の南極に位置しているロードテープ３の部分に取り付けられている。
【００２６】
引張りロープ長変化手段５には両極間にわたっている引張りロープ４の長さを検知するセンサが設けられている。引張りロープ４の全長は、ガス袋１にガスが注入される前の気球の長さ、即ちガス袋１の経線の長さである。ガスが注入されて気球が膨張するにつれて両極間の直線距離は短くなるので、その分の引張りロープ４は絶えずドラム５ａに巻き取られる。同様に、耐圧性気球が放球された後、飛翔高度が上がるにつれて大気圧が下がり体積は膨張を続け、両極間の直線距離は短くなるので、その分のロープもドラム５ａに巻き取られる。
【００２７】
さらに膨張してガス袋１が満膨張状態になると、ガス袋１は膨出した部分をもつパンプキン形状になる。このときガス袋１は最大の体積、即ち最大の浮力をもつ。この状態で、両極間の引張りロープ４の長さを短くすると、ガス袋１はこれの両極が接近するように変形する。これにより、ガス袋１の体積が減少するので浮力が減少する。引張りロープ４の長さを調節することで浮力を制御することができるので、耐圧性気球の飛翔高度を調節することができる。
【００２８】
両極間の引張りロープ４の長さを変えたときのガス袋１の変形形状は以下のようにして求められる。Ｅｕｌｅｒ’ｓ  ｅｌａｓｔｉｃａを求めたときと同様にして、ロードテープは取り付けられていないものとする。変形形状は上記（４）式
ｄＬ／ｄθｍ＝Ｔ’／ｄＰ…（４）
を満たす。但し、（４）式を解く際、皮膜の張力の方向はｙ軸と並行で大きさをＥｕｌｅｒ’ｓ  ｅｌａｓｔｉｃａの場合より小さな値Ｔ’とする。即ち、
Ｔ’＝Ｔ＋ｄＴ  （ｄＴ＜０）…（５）
として、（４）式を解くと、両極間距離を変えたときの変形形状が得られる。ｄＴを変えた場合に、経線の長さＬが一定になるような赤道半径ｘ０を求めると、同一ガス袋で両極間距離を変えた形状とその体積を求めることができる。
【００２９】
図６は変形形状の縦断面の計算例である。ガス袋１の形状はｘ＝０を回転軸として図６の断面を回転させると得られる。８つの閉曲線の内、両極間距離（ｘ＝０上の２点間の距離）が最大でかつ囲む面積が最大である曲線がＥｕｌｅｒ’ｓｅｌａｓｔｉｃａである。両極間距離が小さくなるにつれて囲む面積が小さくなる。図７に両極間距離とガス袋の体積の関係を示す。両座標軸ともＥｕｌｅｒ’ｓ  ｅｌａｓｔｉｃａのときのものを１として正規化されている。図７で示されるように、両極間距離が減少すると体積が単調に減少する。従って、両極間距離を変えることにより比較的容易に浮力を制御することができる。ゴア２の膨出を考慮したときのガス袋１では、ロードテープ３が上記計算から得られた形状に沿って延び、ゴア２が隣接するロードテープ３の間で膨出する。
【００３０】
本実施の形態には様々な修正と変形とが可能である。本実施の形態では引張りロープ４はガス袋１の両極間で延びているが、本発明はこれに限定されない。例えば、１以上の引張りロープの一端が引張りロープ長変化手段５を介して下側の南極に取り付けられ、引張りロープの他端が北極とは異なるロードテープの部分に取り付けられていても良い。
【００３１】
次に、本発明の第２の実施の形態の耐圧性気球を説明する。本実施の形態の構成の大部分は、基本的に第１の実施の形態の構成と同じである。尚、本実施の形態において、第１の実施の形態の図１〜図３を参照して説明した構成部材と実質的に同一の構成部材は、第１の実施の形態の対応する構成部材を指示していた参照符号と同じ参照符号を付して詳細な説明を省略する。
【００３２】
本実施の形態の構成が第１の実施の形態の構成と異なる点は、体積変化手段の構成である。図８はガス袋１の赤道で切断した断面を示す横断面図である。本実施の形態の体積変化手段は、複数のゴア２の長手方向の中央部にそれぞれ位置しているロードテープ３の部分をガス袋１の内側に引っ張る。即ち、ガス袋１の赤道に位置しているロードテープ３の部分の少なくとも２つをガス袋１の内側に引っ張る。
【００３３】
体積変化手段は、ロードテープ３のこれらの部分の少なくとも２つに取り付けられている複数の引張りロープ４と、引張りロープ４の長さを変える引張りロープ長変化手段１５とを有している。引張りロープ長変化手段１５はガス袋１の内部に配置されている。引張りロープ４は、引張りロープ４が取り付けられたロードテープ３の部分のそれぞれと、引張りロープ長変化手段１５との間で延びている。
【００３４】
本実施の形態では全てのロードテープ３に１本づつ引張りロープ４が取り付けられている。ロードテープ３には引張りロープ４の一端がリング（図示せず）を介して取り付けられている。実線で示した複数の引張りロープ４ａの一端と、２点差線で示した複数の引張りロープ４ｂ一端とはガス袋１の赤道上に交互に並んでいる。引張りロープ４ａ，４ｂの他端は全て引張りロープ長変化手段１５に取り付けられている。
【００３５】
図９は引張りロープ長変化手段１５の概略図である。引張りロープ長変化手段１５は、複数の引張りロープ４ａが巻かれる円筒形のドラム１５ａと、複数の引張りロープ４ｂが巻かれる円筒形のドラム１５ｂと、これらを回転させるモータ１５ｃとを有している。ドラム１５ａ，１５ｂはそれぞれ上下に配置されている。モータ１５ｃは下側のドラム１５ｂの内部に固定されている。ドラム１５ａ，１５ｂ及びモータ１５ｃの回転軸は一致してそれぞれ上下方向に向けられている。ドラム１５ａ，１５ｂはモータ１５ｃの回転軸１５ｄを介して接続されている。
【００３６】
モータ１５ｃが回転すると、ドラム１５ａ，１５ｂはそれぞれ反対方向に回転する。これにより、ロープ４ａ，４ｂの巻出し／巻き取りが行われる。引張りロープ長変化手段１５が巻出し／巻き取りを行って引張りロープ４の長さを変えると、ゴア２の長手方向の中央部は引張りロープ長変化手段に接近する。満膨張状態のとき、ガス袋１の両極は上下に向き、引張りロープ長変化手段１５は引張りロープ４ａ，４ｂに吊される。モータ１５ｃは下側のドラム１５ｂに固定されているので、吊されたときの姿勢が安定する。
【００３７】
ロープ４ａ，４ｂはそれぞれガス袋１の赤道半径の長さを有している。ガスがガス袋１に注入される前は巻き取られており、ガスが注入されて体積が膨張し赤道半径が長くなるのに応じて巻き戻される。ガス袋１が満膨張状態になった後、第１の実施の形態と同様にして、引張りロープ４の長さを調節することで浮力を制御し、耐圧性気球の飛翔高度を調節することができる。
【００３８】
赤道半径を変えたときのガス袋１の変形形状は以下のようにして求められる。Ｅｕｌｅｒ’ｓ  ｅｌａｓｔｉｃａを求めたときと同様にして、ロードテープは取り付けられていないものとする。赤道半径を変えたときの変形形状は両極間距離を変えたときと同様にして
ｄＬ／ｄθｍ＝Ｔ’／ｄＰ…（４）
Ｔ’＝Ｔ＋ｄＴ  （ｄＴ＜０）…（５）
を用いて求めることができる。
【００３９】
変形形状を求めるとき、ガス袋の両極の形状は平坦となり、かつ経線の長さが同じになるような張力の方向および赤道半径を選ぶと、図１０に示すような縦断面が得られる。ガス袋１の形状はｘ＝０を回転軸として図１０の断面を回転させると得られる。赤道半径を変えると縦断面が変形していくことが分かる。図１１に赤道半径とガス袋の体積の関係を示す。両座標軸ともＥｕｌｅｒ’ｓ  ｅｌａｓｔｉｃａのときのものを１として正規化されている。両極間距離を変えたときと同様に、赤道半径が減少すると体積が単調に減少するので、比較的容易に浮力を制御することができる。ゴア２の膨出を考慮したときのガス袋１では、両極間距離を変えたときと同様に、ロードテープ３が図１０の形状に沿って延び、ゴア２が隣接するロードテープ３の間で膨出する。
【００４０】
本実施の形態には様々な修正と変形とが可能である。本実施の形態では赤道上のロードテープ３全てに１本づつ引張りロープ４が取り付けられているが、ロードテープ３全てに取り付けられなくとも良い。例えば、複数の引張りロープ４の一端が赤道上にほぼ均一に並ぶように、複数のロードテープ３の内の一部に引張りロープ４を１本づつ取り付けても良い。
【００４１】
また、本実施の形態では引張りロープ４の一端がロードテープ３に他端が引張りロープ長変化手段１５に取り付けられているが、本発明はこれに限定されない。例えば、引張りロープ４の一端がロードテープ３に、他端が赤道とは異なるロードテープの部分にそれぞれ取り付けられていても良い。この場合、引張りロープ長変化手段１５は引張りロープ４が延びる経路上に配置される。また、引張りロープ４の一端がロードテープ３に、他端が引張りロープ長変化手段１５を介して赤道とは異なるロードテープの部分に取り付けられていても良い。この際、引張りロープ４は１本でも良い。
【００４２】
次に、本発明の第３の実施の形態の耐圧性気球を説明する。本実施の形態の構成の大部分は、基本的に第２の実施の形態の構成の大部分と同じである。尚、本実施の形態において、第２の実施の形態の図８及び図９を参照して説明した構成部材と実質的に同一の構成部材は、第２の実施の形態の対応する構成部材を指示していた参照符号と同じ参照符号を付して詳細な説明を省略する。
【００４３】
本実施の形態の構成が第２の実施の形態の構成と異なる点は、体積変化手段の構成である。図１２はガス袋１の赤道で切断した断面を示す横断面図である。体積変化手段は、すくなくとも１本の引張りロープ４と、図９を用いて説明した引張りロープ長変化手段１５とを有している。引張りロープ４はガス袋１の赤道にそれぞれ位置しているロードテープ３の部分の少なくとも２つに張り巡らされるよう取り付けられている。
【００４４】
本実施の形態では１本の引張りロープ４が赤道上にあるロードテープ３の部分の全てに取り付けられている。ロードテープ３のこれらの部分の全てにはリング６がそれぞれ取り付けられている。リング６はガス袋１の内側に配置されている。引張りロープ４は、赤道に沿って周回するようリング６の全てに通されている。
【００４５】
引張りロープ長変化手段１５は隣り合う２つのリング６の間に配置されている。引張りロープ４の両端はドラム１５ａ，１５ｂ（図９参照）にそれぞれ取り付けられている。モータ１５ｃが回転して引張りロープ４の長さが変わると、ゴア２の長手方向の中央部が互いに接近する。これを利用して第２の実施の形態と同様に、ガス袋１の赤道半径を変化させることができるので、浮力を制御し、耐圧性気球の飛翔高度を調節することができる。
【００４６】
本実施の形態には様々な修正と変形とが可能である。本実施の形態では１本の引張りロープ４をリング６に張り巡らせているが、複数本の引張りロープ４を張り巡らせても良い。例えば、２本の引張りロープ４を用い、一方の引張りロープ４を複数のリング６の内の一部に張り巡らせ、他方の引張りロープ４を残りのリング６に張り巡らせても良い。
【００４７】
また、本実施の形態では全てのロードテープ３に引張りロープ４が取り付けられているが、複数のロードテープ３の内の一部に取り付けられても良い。
【００４８】
また、両極間距離を変える第１の実施の形態の体積変化手段と、赤道半径を変える第２又は第３の実施の形態の体積変化手段とを組み合わせても良い。
【００４９】
尚、本発明は上述した実施の形態に限定されるものではなく、発明の趣旨を逸脱しない範囲内において種々の変形や応用が可能であることは勿論である。
【００５０】
【発明の効果】
以上詳述したことから明らかなように、本発明に従った耐圧性気球は、バラストのような有限な搭載物やポンプを用いることなく、簡単な構成でガス袋の体積を制御し、飛翔高度を変えることができる。
【図面の簡単な説明】
【図１】本発明の第１の実施の形態における耐圧性気球の斜視図。
【図２】Ｅｕｌｅｒ’ｓ  ｅｌａｓｔｉｃａを求めるために用いる、ガス袋の概略的な断面図。
【図３】Ｅｕｌｅｒ’ｓ  ｅｌａｓｔｉｃａのガス袋の縦断面を示す曲線のグラフ。
【図４】本発明の第１の実施の形態における耐圧性気球のガス袋の縦断面図。
【図５】本発明の第１の実施の形態における耐圧性気球の引張りロープ長変化手段の概略図。
【図６】両極間距離が変化したときのガス袋の縦断面を示す曲線のグラフ。
【図７】両極間距離とガス袋の体積の関係を示すグラフ。
【図８】本発明の第２の実施の形態における耐圧性気球のガス袋の赤道で切断した断面を示す横断面図。
【図９】本発明の第２及び第３の実施の形態における耐圧性気球の引張りロープ長変化手段の概略図。
【図１０】赤道半径が変化したときのガス袋の縦断面を示す曲線のグラフ。
【図１１】赤道半径とガス袋の体積の関係を示すグラフ。
【図１２】本発明の第３の実施の形態における耐圧性気球のガス袋の赤道で切断した断面を示す横断面図。
【符号の説明】
１  ガス袋
２  ゴア
３  ロードテープ
４，４ａ，４ｂ  引張りロープ
５，１５  引張りロープ長変化手段
【図１】
0003780336.tif 000002
【図２】
0003780336.tif 000003
【図３】
0003780336.tif 000004
【図４】
0003780336.tif 000005
【図５】
0003780336.tif 000006
【図６】
0003780336.tif 000007
【図７】
0003780336.tif 000008
【図８】
0003780336.tif 000009
【図９】
0003780336.tif 000010
【図１０】
0003780336.tif 000011
【図１１】
0003780336.tif 000012
【図１２】
0003780336.tif 000013